(57)【要約】【課題】身体用トリートメント装置の使い勝手を向上させること。【解決手段】本発明では、身体の表面に当接させた対を成す導子(5,6)の間に低周波電気パルスを通電させて身体のトリートメントを行う身体用トリートメント装置(1)において、一対のプローブ(9,10)のそれぞれに対を成す導子(5,6)のそれぞれの導子(5(6))を設けるとともに、一対のプローブ(9,10)の間に対を成す導子(5,6)の間隔を調整するための間隔調整機構(14)を設けることにした。前記間隔調整機構(14)は、前記対を成す導子(5,6)のうちの一方の導子(5)を設けた第１のプローブ(9)に、前記対を成す導子(5,6)のうちの他方の導子(6)を設けた第２のプローブ(10)を回動可能に連結して、第１のプローブ(9)に対して第２のプローブ(10)を回動させることで前記対を成す導子(5,6)の間隔を調整することにした。【選択図】図１
2017205401.tif 000002
【特許請求の範囲】
【請求項１】
身体の表面に当接させた対を成す導子の間に低周波電気パルスを通電させて身体のトリートメントを行う身体用トリートメント装置において、
一対のプローブのそれぞれに対を成す導子のそれぞれの導子を設けるとともに、一対のプローブの間に対を成す導子の間隔を調整するための間隔調整機構を設けたことを特徴とする身体用トリートメント装置。
【請求項２】
前記間隔調整機構は、前記対を成す導子のうちの一方の導子を設けた第１のプローブに、前記対を成す導子のうちの他方の導子を設けた第２のプローブを回動可能に連結して、第１のプローブに対して第２のプローブを回動させることで前記対を成す導子の間隔を調整することを特徴とする請求項１に記載の身体用トリートメント装置。
【請求項３】
身体の表面に当接させた対を成す導子の間に低周波電気パルスを通電させて身体のトリートメントを行う身体用トリートメント装置で使用される一対のプローブにおいて、
一対のプローブのそれぞれに対を成す導子のそれぞれの導子を設けるとともに、一対のプローブの間に対を成す導子の間隔を調整するための間隔調整機構を設けたことを特徴とするプローブ。
【発明の詳細な説明】
【技術分野】
【０００１】
本発明は、身体の表面に当接させた対を成す導子の間に低周波電気パルスを通電させて身体のトリートメントを行う身体用トリートメント装置及びそのプローブに関するものである。
【背景技術】
【０００２】
従来より、顔面等の身体の表面に低周波電気パルスを通電させる低周波治療器が広く利用されている。
【０００３】
従来の低周波治療器では、別体に設けられた２本のプローブの先端に１個の導子をそれぞれ形成しており、施術者がプローブを１本づつ持って、それぞれのプローブに設けられた導子を所定の間隔をあけて患者の顔面等に当接させて治療を行うように構成されている（たとえば、特許文献１参照。）。
【先行技術文献】
【特許文献】
【０００４】
【特許文献１】実公平６−１３７５５号公報
【発明の概要】
【発明が解決しようとする課題】
【０００５】
ところが、上記従来の低周波治療器では、患者の施術箇所の状況や治療の内容などに応じて施術者が２本のプローブの先端に設けられた導子の間隔を適宜調整する必要があり、治療行為に熟練を要するばかりか、治療行為に多大な手間や時間を要するものであった。
【課題を解決するための手段】
【０００６】
そこで、請求項１に係る本発明では、身体の表面に当接させた対を成す導子の間に低周波電気パルスを通電させて身体のトリートメントを行う身体用トリートメント装置において、一対のプローブのそれぞれに対を成す導子のそれぞれの導子を設けるとともに、一対のプローブの間に対を成す導子の間隔を調整するための間隔調整機構を設けることにした。
【０００７】
また、請求項２に係る本発明では、前記請求項１に係る本発明において、前記間隔調整機構は、前記対を成す導子のうちの一方の導子を設けた第１のプローブに、前記対を成す導子のうちの他方の導子を設けた第２のプローブを回動可能に連結して、第１のプローブに対して第２のプローブを回動させることで前記対を成す導子の間隔を調整することにした。
【０００８】
また、請求項３に係る本発明では、身体の表面に当接させた対を成す導子の間に低周波電気パルスを通電させて身体のトリートメントを行う身体用トリートメント装置で使用される一対のプローブにおいて、一対のプローブのそれぞれに対を成す導子のそれぞれの導子を設けるとともに、一対のプローブの間に対を成す導子の間隔を調整するための間隔調整機構を設けることにした。
【発明の効果】
【０００９】
そして、本発明では、以下に記載する効果を奏する。
【００１０】
すなわち、本発明では、一対のプローブのそれぞれに対を成す導子のそれぞれの導子を設けるとともに、一対のプローブの間に対を成す導子の間隔を調整するための間隔調整機構を設けているために、患者の施術箇所の状況やトリートメントの内容などに応じて２本のプローブの先端に設けられた導子の間隔を容易に調整することができるので、熟練者でなくても容易に身体のトリートメントを行うことができ、身体用トリートメント装置の使い勝手を向上させることができる。
【００１１】
特に、対を成す導子のうちの一方の導子を設けた第１のプローブに、対を成す導子のうちの他方の導子を設けた第２のプローブを回動可能に連結して、第１のプローブに対して第２のプローブを回動させることで対を成す導子の間隔を調整することにした場合には、身体のトリートメントを片手で行うことができるので、身体用トリートメント装置の使い勝手をより一層向上させることができるとともに、対を成す導子によって身体の表面を摘み上げることなどができるようになるので、トリートメント内容が広がってトリートメント効果を向上させることができる。
【図面の簡単な説明】
【００１２】
【図１】身体用トリートメント装置を示す説明図。
【図２】身体用トリートメント装置のプローブを示す正面図。
【図３】身体用トリートメント装置のプローブの使用方法を示す説明図。
【図４】身体用トリートメント装置のプローブを示す側面図。
【発明を実施するための形態】
【００１３】
以下に、本発明に係る身体用トリートメント装置及びそれに用いるプローブの具体的な構成について図面を参照しながら説明する。
【００１４】
図１に示すように、身体用トリートメント装置１は、低周波のパルス状の電気信号（低周波電気パルス）を発生させる低周波電気パルス発生器２に施術具３を屈曲自在のコード４を介して電気的に接続した構成となっている。
【００１５】
施術具３は、図１及び図２に示すように、少なくとも一対の導子（第１の導子５、第２の導子６）を有し、これらの導子5,6を低周波電気パルス発生器２に配線7,8を介して電気的に接続している。なお、導子5,6は、先端部を球形にして患者の身体の表面に直接当接する面を滑らかな円弧面としている。
【００１６】
また、施術具３は、一対のプローブ（第１のプローブ９、第２のプローブ10）を有し、これらのプローブ9,10の先端部に導子5,6をそれぞれ設けている。
【００１７】
第１のプローブ９は、中空状に形成した直線状の握り部分（基端部分）11と湾曲状の摘み部分（先端部分）12とで形成されており、摘み部分12の先端に第１の導子５を交換可能に取付けるとともに、握り部分11の基端にコード４の先端を取付け、第１の導子５とコード４との間の配線７を握り部分11及び摘み部分12の内部に収容している。
【００１８】
第２のプローブ10は、中空状に形成した湾曲状の摘み部分13の先端に第２の導子６を交換可能に取付けるとともに、第２の導子６とコード４との間の配線８を摘み部分13の内部と第１のプローブ９の握り部分11の内部に収容している。
【００１９】
これら第１及び第２のプローブ9,10の間には、対を成す導子（第１の導子５、第２の導子６）の間隔（距離）を調整（変更）するための間隔調整機構14が設けられている。
【００２０】
間隔調整機構14は、第１のプローブ９の中途部（握り部分11の先端部、摘み部分12の基端部）に第２のプローブ10の基端部（摘み部分13の基端部）を軸15を介して回動自在に取付け、軸15に設けた捩りバネ16の一端を第１のプローブ９に固定するとともに、捩りバネ16の他端を第２のプローブ10に固定し、第１の導子５と第２の導子６との間隔を広げる方向に向けて第１のプローブ９と第２のプローブ10とを捩りバネ16で付勢している。なお、第１のプローブ９及び第２のプローブ10は、第１のプローブ９に対して第２のプローブ10が所定角度以上に回動しないように（第１の導子５と第２の導子６との間隔が所定範囲（最小間隔から最大間隔までの範囲）以上に広がらないように）第１のプローブ９と第２のプローブ10の外形同士が当接するようにしている。これにより、対を成す導子5,6が接触して電気的に短絡してしまったり、対を成すプローブ9，10が不必要に広がってしまったりして、故障や破損が生じるのを防止している。
【００２１】
これにより、たとえば施術者が右手の中指、薬指、小指で第１のプローブ９の握り部分11を握り、親指を第１のプローブ９の摘み部分12に沿わせるとともに、人差し指を第２のプローブ10の摘み部分13に沿わせることで、施術者が施術具３（第１のプローブ９及び第２のプローブ10）を片手で把持することができる。
【００２２】
また、施術者が親指と人差し指の間隔を狭めることで、捩りバネ16の付勢力に抗して第１のプローブ９に対して第２のプローブ10を第１の導子５と第２の導子６との間隔が狭まる方向に回動させることができる。なお、施術者が親指と人差し指の力を緩めて親指と人差し指の間隔を広げることで、捩りバネ16の付勢力によって第１のプローブ９に対して第２のプローブ10を第１の導子５と第２の導子６との間隔が広がる方向に自動的（強制的）に回動させることができる。
【００２３】
そのため、図３に示すように、患者のトリートメントを行う箇所（施術箇所）の状況やトリートメントの内容（施術内容）などに応じて一対のプローブ9,10の先端に設けられた導子5,6の間隔を調整した状態で身体の表面17に導子5,6を当接させてトリートメントを行うことができる（図３（ａ）参照。）。
【００２４】
また、第１のプローブ９に対して第２のプローブ10を回動させて第１の導子５と第２の導子６との間隔を狭めることで、一対の導子5,6によって身体の表面17を摘んだり又は摘み上げたりすることなどができる。
【００２５】
なお、上記身体用トリートメント装置１では、図４（ａ）に示すように、一対のプローブ9,10に一対の導子5,6を設けた場合について説明したが、これに限られず、図４（ｂ）に示すように、一対のプローブ9,10のそれぞれに対を成す導子18a,19ａ（18b,19b）のそれぞれの導子18a,18b,19a,19bを複数（ここでは２個）設けることで複数対（ここでは２対）を成す導子18a,19ａ（18b,19b）を設けてもよい。各対を成す導子18a,19ａ（18b,19b）の間には、低周波電気パルス発生器２から同一の低周波電気パルスを同時又は交互に通電させてもよく、また、異なる低周波電気パルスを同時又は交互に通電させることもできる。これにより、複数対の導子18a,19ａ（18b,19b）によって集中的に短時間でトリートメントを行うことが可能となり、患者に与える苦痛を抑制することができる。ここでは、導子18aと導子19aとが対を成し、導子18bと導子19bとが対を成すようにしているが、これに限られず、導子18aと導子19bとが対を成し、導子18bと導子19aとが対を成すようにしてもよい。
【００２６】
以上に説明したように、上記身体用トリートメント装置１は、一対のプローブ9,10のそれぞれに対を成す導子5,6のそれぞれの導子5(6)を設けるとともに、一対のプローブ9,10の間に対を成す導子5,6の間隔を調整するための間隔調整機構14を設けた構成となっている。
【００２７】
そのため、上記構成の身体用トリートメント装置１では、患者の施術箇所の状況やトリートメントの内容などに応じて２本のプローブ9,10の先端に設けられた導子5,6の間隔を容易に調整することができる。これにより、熟練者でなくても容易に身体のトリートメントを行うことができ、身体用トリートメント装置１の使い勝手を向上させることができる。
【００２８】
また、上記身体用トリートメント装置１は、対を成す導子5,6のうちの一方の導子５を設けた第１のプローブ９に、対を成す導子5,6のうちの他方の導子６を設けた第２のプローブ10を回動可能に連結して、第１のプローブ９に対して第２のプローブ10を回動させることで対を成す導子5,6の間隔を調整する構成となっている。
【００２９】
そのため、上記構成の身体用トリートメント装置１では、身体のトリートメントを片手で行うことができるので、身体用トリートメント装置１の使い勝手をより一層向上させることができるとともに、対を成す導子5,6によって身体の表面17を摘み上げることなどができるようになるので、トリートメント内容が広がってトリートメント効果を向上させることができる。
【符号の説明】
【００３０】
１  身体用トリートメント装置          ２  低周波電気パルス発生器
３  施術具                            ４  コード
５  第１の導子                        ６  第２の導子
7,8  配線                             ９  第１のプローブ
10  第２のプローブ                    11  握り部分
12  摘み部分                          13  摘み部分
14  間隔調整機構                      15  軸
16  捩りバネ                          17  表面
18a,18b,19a,19b  導子
【図１】
2017205401.tif 000003
【図２】
2017205401.tif 000004
【図３】
2017205401.tif 000005
【図４】
2017205401.tif 000006
【手続補正書】
【提出日】平成29年8月10日(2017.8.10)
【手続補正１】
【補正対象書類名】特許請求の範囲
【補正対象項目名】全文
【補正方法】変更
【補正の内容】
【特許請求の範囲】
【請求項１】
身体の表面に当接させた対を成す導子の間に低周波電気パルスを通電させて身体のトリートメントを行う身体用トリートメント装置において、
一対のプローブのそれぞれに対を成す導子のそれぞれの導子を設けるとともに、一対のプローブを一対の導子の間隔を広げる方向に付勢し、一対のプローブの間に対を成す導子の間隔を調整するための間隔調整機構を設けたことを特徴とする身体用トリートメント装置。
【請求項２】
前記間隔調整機構は、前記対を成す導子のうちの一方の導子を設けた第１のプローブに、前記対を成す導子のうちの他方の導子を設けた第２のプローブを回動可能に連結して、第１のプローブに対して第２のプローブを回動させることで前記対を成す導子の間隔を調整することを特徴とする請求項１に記載の身体用トリートメント装置。
【請求項３】
身体の表面に当接させた対を成す導子の間に低周波電気パルスを通電させて身体のトリートメントを行う身体用トリートメント装置で使用される一対のプローブにおいて、
一対のプローブのそれぞれに対を成す導子のそれぞれの導子を設けるとともに、一対のプローブを一対の導子の間隔を広げる方向に付勢し、一対のプローブの間に対を成す導子の間隔を調整するための間隔調整機構を設けたことを特徴とするプローブ。
【手続補正２】
【補正対象書類名】明細書
【補正対象項目名】０００６
【補正方法】変更
【補正の内容】
【０００６】
そこで、請求項１に係る本発明では、身体の表面に当接させた対を成す導子の間に低周波電気パルスを通電させて身体のトリートメントを行う身体用トリートメント装置において、一対のプローブのそれぞれに対を成す導子のそれぞれの導子を設けるとともに、一対のプローブを一対の導子の間隔を広げる方向に付勢し、一対のプローブの間に対を成す導子の間隔を調整するための間隔調整機構を設けることにした。
【手続補正３】
【補正対象書類名】明細書
【補正対象項目名】０００８
【補正方法】変更
【補正の内容】
【０００８】
また、請求項３に係る本発明では、身体の表面に当接させた対を成す導子の間に低周波電気パルスを通電させて身体のトリートメントを行う身体用トリートメント装置で使用される一対のプローブにおいて、一対のプローブのそれぞれに対を成す導子のそれぞれの導子を設けるとともに、一対のプローブを一対の導子の間隔を広げる方向に付勢し、一対のプローブの間に対を成す導子の間隔を調整するための間隔調整機構を設けることにした。